【手続補正書】
【提出日】平成18年1月10日(2006.1.10)
【手続補正１】
【補正対象書類名】明細書
【補正対象項目名】発明の名称
【補正方法】変更
【補正の内容】
【発明の名称】紙幣検出装置
【手続補正２】
【補正対象書類名】明細書
【補正対象項目名】特許請求の範囲
【補正方法】変更
【補正の内容】
【特許請求の範囲】
【請求項１】
投光部と前記投光部の光軸上の紙幣通路を挟んで配置した受光部よりなる透過センサと、投光部と受光部とを紙幣通路の一側に配置した反射センサとを用いる紙幣検出装置において、
第一光軸(66)を紙幣通路(7)に対し斜めに配置した第一投光部(49)と、該第一投光部(49)に対し紙幣通路(7)の反対側に配置した前記第一光軸(66)上の第一受光部(64)とにより第一透過センサ(68)を構成し、前記紙幣通路に対し、前記第一投光部(49)及び該第一投光部(49)と同じ側に配置した前記第二受光部(53)とにより第一反射センサ(69)を構成したことを特徴とする紙幣検出装置。
【請求項２】
前記第一光軸(66)が、前記紙幣通路(7)に対し紙幣の進行方向と逆向きに鈍角に交差する請求項１の紙幣検出装置。
【請求項３】
前記第一投光部(49)に対し前記紙幣通路(7)の反対側に位置し、かつ、前記紙幣通路(7)に対し斜めに第二光軸(67)を配置した第二投光部(61)を含み、前記第二受光部(53)が第二光軸(67)上に配置されている請求項１の紙幣検出装置。
【請求項４】
前記第一投光部(49)から第一波長の光を投射し、前記第二投光部(61)から第二波長の光を投射する請求項３の紙幣検出装置。
【請求項５】
前記第一投光部(49)は赤外線を投射し、前記第二投光部(61)は赤外線以外の光を投射する請求項４の紙幣検出装置。
【請求項６】
前記第一投光部(49)が投光したとき、第一受光部(64)の受光出力を読み込んだ後、第二受光部(53)の受光出力を読み込み、その後第一投光部(49)の投光を中止して第二投光部(61)から投光させて第二受光部(53)の受光出力を読み込んだ後第一受光部(64)の受光出力を読み込むための読込制御装置(79)を有する請求項４の紙幣検出装置。
【請求項７】
第一光軸(66)を紙幣通路(7)に対し斜めに配置した第一投光部(49)と、前記第一光軸(66)上の紙幣通路(7)の反対側に配置された第一受光部(64)とにより第一透過センサ(68)を構成し、前記第一投光部(49)と紙幣通路(7)の同一側に配置した第二受光部(53)とにより第一反射センサ(69)を構成し、第一投光部(49)が発光したとき第一透過センサ(68)を構成する第一受光部(64)の出力が所定値になるよう第一投光部(49)の投光量を調整する投光量調整装置(81)と、第一反射センサ(69)を構成する第二受光部(53)の出力が所定値になるよう第二受光部(53)の出力の増幅率を調整する受光出力調整装置(83)とを備える紙幣検出装置。
【手続補正３】
【補正対象書類名】明細書
【補正対象項目名】０００８
【補正方法】変更
【補正の内容】
【０００８】
【課題を解決するための手段】
この目的を達成するため、本発明にかかる紙幣検知装置は、次のように構成されている。
投光部と前記投光部の光軸上の紙幣通路を挟んで配置した受光部よりなる透過センサと、投光部と受光部とを紙幣通路の一側に配置した反射センサとを用いる紙幣検出装置において、第一光軸(66)を紙幣通路(7)に対し斜めに配置した第一投光部(49)と、該第一投光部(49)に対し紙幣通路(7)の反対側に配置した前記第一光軸(66)上の第一受光部(64)とにより第一透過センサ(68)を構成し、前記紙幣通路)(7)に対し、前記第一投光部(49)及び該第一投光部(49)と同じ側に配置した第二受光部(53)とにより第一反射センサ(69)を構成した紙幣検出装置である。
【手続補正４】
【補正対象書類名】明細書
【補正対象項目名】００１３
【補正方法】変更
【補正の内容】
【００１３】
したがって、第二投光部を追加することにより、前記透過センサと反射センサに加えて、新たに第二透過センサと第二反射センサとを構成することができる。
結果として、投光部と受光部の対よりなる従来のセンサを用いる場合に比し、投光部及び受光部がそれぞれ２つ減少する。
結果としてそれらセンサの設置スペースが減少すると共に、コストを低減することができる。
【手続補正５】
【補正対象書類名】明細書
【補正対象項目名】００１５
【補正方法】変更
【補正の内容】
【００１５】
換言すれば、第一透過センサと第一反射センサは、第一波長に基づく出力を行う。
第二投光部から投射される第二波長の光を受光する場合、第二受光部は第二波長に基づく出力をし、第一受光部は第二波長に基づく出力をする。
換言すれば、第二透過センサと第二反射センサは、第二波長に基づく出力を行う。
【手続補正６】
【補正対象書類名】明細書
【補正対象項目名】００３０
【補正方法】変更
【補正の内容】
【００３０】
下向突起13の頂部（下端部）は上向突起17の頂部（上端部）に対し、図3に図示するように紙幣の進行方向に対しずれており、かつ、上下方向において僅かにオーバーラップするよう配置されている。
これにより、室内灯や太陽光等の外光が紙幣入口8から入光して後述の起動センサ19が誤検知することを防止している。
【手続補正７】
【補正対象書類名】明細書
【補正対象項目名】００３５
【補正方法】変更
【補正の内容】
【００３５】
上側搬送体26は、上側部材3に回転自在に取り付けられたプーリー31と32とにより構成されている。
下側搬送体27は、下側部材2に回動自在に取り付けたプーリー34、35及び36と、それらプーリに巻き付けたベルト37とにより構成されている。
プーリー31及び32は下側部材2に向かって弾性的に支持され、相対するプーリー34又は35は、下側ベルト37に所定の圧力で接触している。
【手続補正８】
【補正対象書類名】明細書
【補正対象項目名】００４１
【補正方法】変更
【補正の内容】
【００４１】
第一投光装着孔45の底部（上部）に第一発光素子47が固定されている。
この第一発光素子47は、例えば、赤色発光ダイオードである。
第一投光装着孔45の先端部には、アクリル樹脂或いはガラス等の透明材料により成型した円柱状の第一投光保護カバー48が固定されている。
したがって、第一投光保護カバー48の端面が第一投光部49である。
以下に説明する保護カバーは、第一投光保護カバー48と同様に成型されている。
第一受光装着孔46の底部（上部）に、第二受光素子51が固定されている。
この第二受光素子51は、例えばフォトトランジスタである。
【手続補正９】
【補正対象書類名】明細書
【補正対象項目名】００４５
【補正方法】変更
【補正の内容】
【００４５】
第二投光装着孔56の底部（下部）に第二発光素子58が固定されている。
この第二発光素子58は、例えば、赤外線発光ダイオードである。
第二投光装着孔56の先端部には、第二投光保護カバー59が固定されている。
したがって、第二投光保護カバー59の端面が第二投光部61である。
第二受光装着孔57の底部（下部）に、第一受光素子62が固定されている。
この第一受光素子62は、例えばフォトトランジスタである。
【手続補正１０】
【補正対象書類名】明細書
【補正対象項目名】００４７
【補正方法】変更
【補正の内容】
【００４７】
第一投光部49の第一光軸66上に第一受光部64が位置しており、第二投光部61の第二光軸67上に第二受光部53が位置している。
したがって、第一光軸66及び第二光軸67は紙幣通路7における紙幣9の進行線70に対し、鈍角に交差し、かつ、それら光軸同士はＸ状に交差する。
【手続補正１１】
【補正対象書類名】明細書
【補正対象項目名】００５９
【補正方法】変更
【補正の内容】
【００５９】
第一受光素子62の出力に基づくデジタルデータは、マイクロプロセッサ74からの信号に基づいて読込制御回路79から出力されるタイミング信号T1において第一透過センサ68の出力である信号P1に相当する信号がマイクロプロセッサ74に出力され、サンプリングされる。
次いで、タイミング信号T2において、第一反射センサ69の出力である信号R1に相当する信号が同様にサンプリングされる。